(57)【要約】【課題】ペットの種類に応じて、当該ペットらしく送り出すことが可能な葬儀システムを提供することを目的とする。【解決手段】ペットの種類毎の火葬炉と、当該火葬炉に誘導する誘導路が備えられ、当該火葬炉が、大型犬を火葬するための大型犬用の大型火葬炉１１と、小型犬を火葬するための小型犬用の中型火葬炉１２と、猫を火葬するための猫用の中型火葬炉１３と、犬及び猫以外の小動物を火葬するための小動物用の小型火葬炉１４である構成とした。【選択図】図１
2020041741.tif 000002
【特許請求の範囲】
【請求項１】
ペットの種類毎に火葬炉が備えられたことを特徴とする、ペットの葬儀システム。
【請求項２】
ペットの種類ごとに備えられた前記火葬炉が、
大型犬を火葬するための大型犬用の火葬炉と、
小型犬を火葬するための小型犬用の火葬炉と、
猫を火葬するための猫用の火葬炉と、
犬及び猫以外の小動物を火葬するための小動物用の火葬炉であることを特徴とする、ペットの葬儀システム。
【請求項３】
前記火葬炉に誘導する誘導路が更に備えられていることを特徴とする、請求項１又は２に記載のペットの葬儀システム。
【請求項４】
前記誘導路が、前記各火葬炉に対応して備えられ、当該各誘導路は、他の誘導路とは独立していることを特徴とする、請求項３に記載のペットの葬儀システム。
【請求項５】
前記誘導路中に、ペットとのお別れを行うお別れ場所が設けられていることを特徴とする、請求項３に記載のペットの葬儀システム。
【請求項６】
前記各誘導路中に、ペットとのお別れを行うお別れ場所が設けられ、
当該各お別れ場所は、ペットの種類に応じて装飾されていることを特徴とする、請求項４に記載のペットの葬儀システム。
【発明の詳細な説明】
【技術分野】
【０００１】
この発明は、ペットの葬儀システムに関するものである。
【背景技術】
【０００２】
現在、日本では１５歳未満の子供の数が約１，５５３万人（平成３０年４月１日現在、総務省統計局調べ）と、年々減少をし続けている中、犬の飼育数は約８９２万匹、猫の飼育数も約９５２万匹（「平成２９年全国犬猫飼育実態調査」より）、ペットの合計飼育数は１，８４４万匹と、１５歳未満の子供の数を大幅に上回っている。
【０００３】
このように、犬や猫をはじめとするペットは、人間の少子高齢化が進む社会において、多くの家庭において重要な「家族の一員」となっており、ペットを実の子供の様に大切に育てている飼い主が多い。また、ペットの飼育数が全国の子供の数を上回るほど増えたことで、ペットの地位も向上している。
【０００４】
さらに、ペットの地位の向上によって、これまで室外で飼育されていたペットを室内で飼育する「室内飼育」が増加している。その結果、ペットの生活水準が向上し、平均寿命が伸びてペットの高齢化も進んでいる。
【０００５】
また、屋外で飼っているペットと比べて室内で飼うペットは飼い主と一緒に過ごす時間が長く、ペットの寿命が延びたことと相俟って、より多くの時間を飼い主と一緒に過ごすようになった。このようなペットのライフスタイルの変化に伴い、これまで「親が子供にしてあげたい、必要だ」と思っていたサービスの需要が、ペットに対し高まっている。
【０００６】
特に、「ペットの葬儀」は、大切な家族にとって、家族の一員であるペットを送り出すためのなくてはならないサービスである。そして、「ペットの葬儀」では、ペットの地位の向上に伴って、ペットをいかに「家族」として見送るかが重視されつつある。
【０００７】
ところで従来は、ペットを火葬する場合、火葬炉による合同火葬や、火葬車による火葬が行われるのが一般的であった。
【０００８】
例えば、犬や猫などのペットを数体まとめて焼く場合に、耐熱材料で形成した表示体を死体と一緒に焼くことで、自分のペットを確実に見分けることができる火葬方法が、特許文献１では開示されている。
【０００９】
また例えば、バーナーや焼却炉を大型のものとし、８００℃以上の温度で焼却を可能とし、さらに遺体搬入搬出用の扉を上下２段にして、用途に応じて適宜使い分けを可能とした。さらに外気取り入れ口をも設け、ガスの燃焼をより完全としたペット類火葬車が、特許文献２では開示されている。
【先行技術文献】
【特許文献】
【００１０】
【特許文献１】特開平６−２６５１１９号公報
【特許文献２】特開２００１−２５４９１４号公報
【発明の開示】
【発明が解決しようとする課題】
【００１１】
しかし、合同火葬や火葬車による火葬は、人間ではありえない火葬方法であり、ペットが「家族」として扱われていないと感じ、嫌悪感を抱く飼い主も少なくなかった。
【００１２】
これに対し、出願人は、人間の葬儀と同様に、立ち会って遺骨を拾うことができる「立ち会い個別火葬」や、火葬前に個別のお通夜や葬儀を実施するなど、ペットを「大切な家族」として送り出すためのサービスを行ってきた。
【００１３】
しかしながら、出願人が行ってきたこれらのサービスは、ペットの種類に関わらず、同一の方法で送り出すサービスであり、葬儀を「家族とのお別れの場」と考えると、人間の葬儀と比べてシンプルなサービスであった。
【００１４】
そのため、「家族とのお別れの場」としての葬儀の質を高め、ペットを家族の一員と考える飼い主のニーズに応える必要がある。
【００１５】
また、ペットの飼育数の増加だけでなく、近年では、飼育されるペットの種類も多様化している。そのため、葬儀を希望するペットの種類も多岐にわたっている。しかし、ヘビやトカゲといった爬虫類等の、ポピュラーではないペットの飼い主の中には、「大切に葬儀を行ってもらえないのではないか」という不安を抱いている者も少なくない。また、ポピュラーではないペットの飼い主は、大切に葬儀を行って欲しいという思いだけでなく、そのペットらしく送り出してあげたいという思いを持っており、このような思いをかなえるサービスを提供する必要がある。
【００１６】
更に、飼育されるペットの種類が多様化している今だからこそ、犬や猫といったポピュラーなペットについても、これらを「ペット」として一様に考えるのではなく、犬は犬らしく、猫は猫らしく送り出すサービスを提供する必要がある。
【００１７】
そこで、この発明は上述の課題を解決するため、ペットの種類に応じて、当該ペットらしく送り出すことが可能な葬儀システムを提供することを目的としたものである。
【課題を解決するための手段】
【００１８】
請求項１の発明は、
ペットの種類毎に火葬炉が備えられた、ペットの葬儀システムとした。
【００１９】
また、請求項２の発明は、
ペットの種類ごとに備えられた前記火葬炉が、
大型犬を火葬するための大型犬用の火葬炉と、
小型犬を火葬するための小型犬用の火葬炉と、
猫を火葬するための猫用の火葬炉と、
犬及び猫以外の小動物を火葬するための小動物用の火葬炉である、ペットの葬儀システムとした。
【００２０】
また、請求項３の発明は、
前記火葬炉に誘導する誘導路が更に備えられている、請求項１又は２に記載のペットの葬儀システムとした。
【００２１】
また、請求項４の発明は、
前記誘導路が、前記各火葬炉に対応して備えられ、当該各誘導路は、他の誘導路とは独立している、請求項３に記載のペットの葬儀システムとした。
【００２２】
また、請求項５の発明は、
前記誘導路中に、ペットとの最後のお別れを行うお別れ場所が設けられている、請求項３に記載のペットの葬儀システムとした。
【００２３】
また、請求項６の発明は、
前記各誘導路中に、ペットとのお別れを行うお別れ場所が設けられ、
当該各お別れ場所は、ペットの種類に応じて装飾されている、請求項４に記載のペットの葬儀システムとした。
【発明の効果】
【００２４】
請求項１〜６の発明によれば、大型犬、小型犬、猫、爬虫類などの犬及び猫以外の小動物といった、火葬するペットの種類に応じて、夫々別の火葬炉で火葬を行うことができ、例えば、犬と猫を同じ火葬炉で火葬することはない。そのため、ペットの種類に応じて、当該ペットらしく送り出すことができ、また、異なる種類のペットを同じ火葬炉で火葬して欲しくないと考える飼い主の思いをかなえることができる。また、小動物用の火葬炉が、犬用の火葬炉や猫用の火葬炉とは別に備えられているため、ヘビやトカゲといった爬虫類などの、ポピュラーではないペットの飼い主の大切に葬儀を行って欲しい、また、そのペットらしく送り出してあげたいという思いをかなえることができる。
【００２５】
また特に、請求項４の発明によれば、各火葬炉に対応して、当該火葬炉に誘導する誘導路が備えられ、当該各誘導路は、他の誘導路とは独立しているため、各葬儀の参列者は、自身の火葬炉に向かうまでに、他の葬儀の参列者と顔を合わせることがなく、他の葬儀に遭遇することもない。自身の葬儀に集中することができる。その結果、葬儀の質が高まり、ペットを家族の一員と考える飼い主のニーズに応えることができる。
【００２６】
また特に、請求項５及び６の発明では、各誘導路中に、ペットとのお別れを行うお別れ場所が設けられているため、各葬儀の参列者は、自身のペットの思い出に浸りやすくなる。その結果、葬儀の質が高まり、ペットを家族の一員と考える飼い主のニーズに応えることができる。
【図面の簡単な説明】
【００２７】
【図１】この発明の実施の形態例１の葬儀システムの構成を例示的に示した概念図である。
【図２】この発明の実施の形態例１の葬儀システムに係る火葬炉の構成を示した概念図である。
【図３】この発明の実施の形態例１の葬儀システムに係る各ペットの種類に応じたお別れ場所のコンセプトを例示的に示した図である。
【図４】この発明の他の実施の形態例の葬儀システムの構成を例示的に示した概念図である。
【図５】この発明の他の実施の形態例の葬儀システムの構成を例示的に示した概念図である。
【発明を実施するための形態】
【００２８】
（実施の形態例１）
この発明の実施の形態例１の葬儀システムを説明する。図１は、本実施の形態例１の葬儀システムの構成を例示的に示した概念図である。本実施の形態例１に係る葬儀システムは、図１に示すように、主として、大型火葬炉１１、中型火葬炉１２、中型火葬炉１３、小型火葬炉１４を有する複数の火葬炉と、各火葬炉に対応して設けられ、対応する火葬炉に誘導する誘導路２１〜２４と、各誘導路中に設けられたお別れ場所４１〜４４を備えている。
【００２９】
上述したように、本実施の形態例１に係る葬儀システムは、大型火葬炉１１、中型火葬炉１２、中型火葬炉１３、小型火葬炉１４と、合計４つの火葬炉を有している。そして、各火葬炉は、火葬するペットの種類が決められている。即ち、図２に示すように、大型火葬炉１１は、「大型犬」の火葬に用いられ、中型火葬炉１２は、「大型犬以外の中型犬や小型犬（室内犬）」の火葬に用いられ、中型火葬炉１３は、「猫」の火葬に用いられ、小型火葬炉１４は、爬虫類、ハムスター、鳥などの、犬及び猫以外の「小動物」の火葬に用いられる。
【００３０】
このように、本実施の形態例１に係る葬儀システムでは、ペットの種類に応じて、火葬炉が備えられているため、火葬するペットの種類に応じて、夫々別の火葬炉で火葬を行うことができ、例えば、犬と猫を同じ火葬炉で火葬することはない。そのため、ペットの種類に応じて、当該ペットらしく送り出すことができ、また、異なる種類のペットを同じ火葬炉で火葬して欲しくないと考える飼い主の思いをかなえることができる。また、小動物用の火葬炉が、犬用の火葬炉や猫用の火葬炉とは別に備えられているため、ヘビやトカゲといった爬虫類などの、ポピュラーではないペットの飼い主の大切に葬儀を行って欲しい、また、そのペットらしく送り出してあげたいという思いをかなえることができる。
【００３１】
次に、図１に示すように、各火葬炉には対応する誘導路が備えられており、誘導路は、対応する火葬炉に葬儀の参列者等を誘導する。詳しくは、誘導路２１は、葬儀の参列者等を大型火葬炉１１に誘導し、誘導路２２は、葬儀の参列者等を中型火葬炉１２に誘導し、誘導路２３は、葬儀の参列者等を中型火葬炉１３に誘導し、誘導路２４は、葬儀の参列者等を小型火葬炉１４に誘導する。
【００３２】
誘導路２１〜２４の各誘導路は、壁２７で仕切られていることで、独立しており、他の誘導路と交わることはない。また、誘導路２１〜２４の各誘導路の入り口には、扉３１〜３４のいずれかが設けられている。詳しくは、誘導路２１の入り口には、扉３１が設けられ、誘導路２２の入り口には、扉３２が設けられ、誘導路２３の入り口には、扉３３が設けられ、誘導路２４の入り口には、扉３４が設けられている。
【００３３】
そのため、例えば、大型火葬炉１１に向かう葬儀の参列者は、中型火葬炉１３に向かう他の葬儀の参列者と顔を合わせることもなく、他の葬儀に遭遇することもない。自身の葬儀に集中することができる。その結果、葬儀の質が高まり、ペットを家族の一員と考える飼い主のニーズに応えることができる。
【００３４】
次に、図１に示すように、各誘導路中の、火葬炉付近には、葬儀の参列者が火葬を行う前にペットと、お別れを行うお別れ場所が設けられている。詳しくは、大型火葬炉１１付近には、お別れ場所４１が設けられ、中型火葬炉１２付近には、お別れ場所４２が設けられ、中型火葬炉１３付近には、お別れ場所４３が設けられ、小型火葬炉１４付近には、お別れ場所４４が設けられている。
【００３５】
各お別れ場所は、図３に示すように、ペットの種類に応じて、当該ペットの雰囲気に合うようなコンセプトで装飾されている。例えば、大型犬を火葬する大型火葬炉１１付近に設けられたお別れ場所４１には、「一緒に駆けて遊んだ思い出」というコンセプトの下で、公園の風景を模した壁紙を壁に貼り、床には芝生を模した絨毯を敷き、ドッグランに置いてあるような遊具やフリスビーを配置する。
【００３６】
あるいは、例えば、小動物を火葬する小型火葬炉１４付近に設けられたお別れ場所４４には、「小さくても一人の家族」というコンセプトの下で、花畑の風景を模した壁紙を壁に貼り、床には造花を配置する。また、ハンモックや回し車を配置する。
【００３７】
このように、各誘導路中に、当該誘導路が誘導する火葬炉で火葬される火葬対象のペットの種類に応じて、当該ペットの雰囲気に合わせたお別れ場所が設けられているため、各葬儀の参列者は、自身のペットの思い出に浸りやすくなる。その結果、葬儀の質が高まり、ペットを家族の一員と考える飼い主のニーズに応えることができる。
【００３８】
＜変形例＞
【００３９】
なお、本実施の形態例１に係る葬儀システムでは、大型犬用の大型火葬炉１１、中型犬や小型犬（室内犬）用の中型火葬炉１２、猫用の中型火葬炉１３、小動物用の小型火葬炉１４と、合計４つの火葬炉を備える構成を示したが、この構成に限定されるものではない。例えば、犬用の火葬炉、猫用の火葬炉、犬及び猫以外の小動物用の火葬炉といったように、ペットの種類に応じて、火葬炉を備える構成であれば良い。
【００４０】
また、本実施の形態例１に係る葬儀システムでは、壁２７で仕切り、入り口に扉を設けることで各誘導路を独立させる構成を示したが、この構成に限定されるものではない。例えば、図４に示すように、各誘導路をアコーディオンカーテンや、通常の布のカーテン等のカーテン２８で仕切ることで、各誘導路を独立させる構成としても良い。あるいは、より簡易的に衝立を適宜配置することで（図示省略）、各誘導路を独立させる構成としても良い。このような構成すれば、より簡易に、各誘導路を独立させることができ、また、当該誘導路を使用しない場合には、カーテン２８を畳んでおいたり、衝立を片付けておけば、スペースを広く使うことができる。
【００４１】
また、本実施の形態例１に係る葬儀システムでは、各誘導路中の、火葬炉付近に、お別れ場所が設けられる構成を示したが、この構成に限定されるものではない。お別れ場所は、誘導路中のいずれかの箇所に設けられていれば良い。
【００４２】
また、本実施の形態例１に係る葬儀システムでは、各火葬炉に対応して、誘導路を設ける構成を示したが、この構成に限定されるものではない。例えば、図５に示すように、誘導路２５及び誘導路２６は、カーテン２８によって独立しているが、各火葬炉に対応して設けられているわけではない。このような構成としても良い。なお、誘導路２５及び誘導路２６中には、夫々お別れ場所４５、お別れ場所４６が、設けられている。このお別れ場所４５及びお別れ場所４６は、上述したお別れ場所４１〜４４とは異なり、常に装飾されているわけではなく、お別れ予定のペットの種類に応じて、事前に装飾がその都度行われる。
【００４３】
また、図５に示す本実施の形態例では、各火葬炉と、誘導路２５及び誘導路２６とは、壁２７で仕切られている。従って、お別れ場所４５又はお別れ場所４６でお別れを終えた葬儀の参列者が、火葬炉に行くためには、カーテン２８内の誘導路２５又は誘導路２６から出て、扉３６に向かう必要がある。この際、他の葬儀の参列者と顔を合わせてしまう、あるいは他の葬儀に遭遇してしまう可能性がある。
【００４４】
そこで、このような場合には、葬儀の参列者がカーテン２８内の誘導路２５又は誘導路２６に入る時間や、カーテン２８内の誘導路２５又は誘導路２６から出る時間を調整し、他の葬儀の参列者と顔を合わせたり、あるいは他の葬儀に遭遇してしまうことがないようにする。
【符号の説明】
【００４５】
１１：大型火葬炉、１２：中型火葬炉、１３：中型火葬炉、１４：小型火葬炉、                
２１〜２６：誘導路、２７：壁、２８：カーテン、３１〜３６：扉、
４１〜４６：お別れ場所
【図１】
2020041741.tif 000003
【図２】
2020041741.tif 000004
【図３】
2020041741.tif 000005
【図４】
2020041741.tif 000006
【図５】
2020041741.tif 000007